(57)【要約】【課題】試験体の交換が困難となり展示会を開催することができなくなることを防止することができる試験体の防火性能展示装置を提供する。【解決手段】耐火性を有する外壁部１１により形成される試験室１０と、試験室１０の内部及び外部に露出した状態で外壁部１１に取り付けられる複数の試験体３０と、試験室１０の内部に設けられて炎を吹き出すことができるバーナー５０と、複数の試験体３０のうち前記バーナー５０から炎が吹き付けられる所定の試験体３０を選択する操作部６０と、所定の試験体３０に対して予め設定された炎を吹き付け可能な吹き付け位置にバーナー５０を移動させるバーナー装置４０と、外壁部１１に設けられて試験室１０の外部から内部の様子を視認可能な窓部７０と、具備する。【選択図】図１
2015022191.tif 000002
【特許請求の範囲】
【請求項１】
耐火性を有する外壁部により形成される試験室と、
前記試験室の内部及び外部に露出した状態で前記外壁部に取り付けられる複数の試験体と、
前記試験室の内部に設けられて炎を吹き出すことができるバーナーと、
前記複数の試験体のうち前記バーナーから炎が吹き付けられる所定の試験体を選択する選択手段と、
前記所定の試験体に対して予め設定された炎を吹き付け可能な吹き付け位置に前記バーナーを移動させる移動手段と、
前記外壁部に設けられて前記試験室の外部から内部の様子を視認可能な窓部と、
を具備する、
試験体の防火性能展示装置。
【請求項２】
前記複数の試験体は、試験体ごとに交換可能である、
請求項１に記載の試験体の防火性能展示装置。
【請求項３】
前記窓部は、前記所定の試験体として前記複数の試験体のうち何れの試験体が選択された場合であっても、当該所定の試験体に前記バーナーから炎が吹き付けられる様子が外部から視認可能となるように構成される、
請求項１または請求項２に記載の試験体の防火性能展示装置。
【請求項４】
前記外壁部は、複数の外壁材から構成され、
前記複数の試験体が取り付けられる外壁部としての第一の外壁材と前記窓部が設けられる外壁部としての第二の外壁材との間には、当該第一及び第二の外壁材とは異なる第三の外壁材が介在される、
請求項１から請求項３のいずれか一項に記載の試験体の防火性能展示装置。
【発明の詳細な説明】
【技術分野】
【０００１】
本発明は、例えば住宅に用いられる外壁材からなる試験体の防火性能を展示する試験体の防火性能展示装置の技術に関する。
【背景技術】
【０００２】
従来、例えば外壁材からなる試験体の防火性能を展示する試験体の防火性能展示装置の技術は公知となっている。例えば、特許文献１に記載の如くである。
【０００３】
特許文献１には、耐火性を有する外壁部により形成される試験室と、前記試験室の内部及び外部に露出した状態で前記外壁部に取り付けられる試験体と、前記試験室の内部に設けられて炎を吹き出すことができるバーナーと、を具備する試験体の防火性能展示装置の技術が開示されている。
【０００４】
このような構成により、前記試験体の防火性能展示装置においては、試験室の内部でバーナーから炎が吹き付けられている試験体に当該試験室の外部から直接手で触れることができるため、例えば試験体の防火性能を展示する展示会が開催された場合に、当該展示会の見学者は試験体の防火性能を体感することができる。
【０００５】
しかしながら、例えば前述したような展示会において試験体に炎が吹き付けられた場合（試験体が使用された場合）には、次の展示会が開催される前に、使用済みの試験体を未使用の試験体に交換する必要があった。したがって、例えば展示会が１日に何回も開催される場合や、試験体を交換する担当者が不在である場合には、試験体の交換が困難となり展示会を開催することができないことがあった。
【先行技術文献】
【特許文献】
【０００６】
【特許文献１】特開平１１−２１９１１８号公報
【発明の概要】
【発明が解決しようとする課題】
【０００７】
本発明は以上の如き状況に鑑みてなされたものであり、その解決しようとする課題は、試験体の交換が困難となり展示会を開催することができなくなることを防止することができる試験体の防火性能展示装置を提供することである。
【課題を解決するための手段】
【０００８】
本発明の解決しようとする課題は以上の如くであり、次にこの課題を解決するための手段を説明する。
【０００９】
即ち、請求項１においては、耐火性を有する外壁部により形成される試験室と、前記試験室の内部及び外部に露出した状態で前記外壁部に取り付けられる複数の試験体と、前記試験室の内部に設けられて炎を吹き出すことができるバーナーと、前記複数の試験体のうち前記バーナーから炎が吹き付けられる所定の試験体を選択する選択手段と、前記所定の試験体に対して予め設定された炎を吹き付け可能な吹き付け位置に前記バーナーを移動させる移動手段と、前記外壁部に設けられて前記試験室の外部から内部の様子を視認可能な窓部と、を具備するものである。
【００１０】
請求項２においては、前記複数の試験体は、試験体ごとに交換可能であるものである。
【００１１】
請求項３においては、前記窓部は、前記所定の試験体として前記複数の試験体のうち何れの試験体が選択された場合であっても、当該所定の試験体に前記バーナーから炎が吹き付けられる様子が外部から視認可能となるように構成されるものである。
【００１２】
請求項４においては、前記外壁部は、複数の外壁材から構成され、前記複数の試験体が取り付けられる外壁部としての第一の外壁材と前記窓部が設けられる外壁部としての第二の外壁材との間には、当該第一及び第二の外壁材とは異なる第三の外壁材が介在されるものである。
【発明の効果】
【００１３】
本発明の効果として、以下に示すような効果を奏する。
【００１４】
請求項１においては、試験体の交換が困難となり展示会を開催することができなくなることを防止することができる。
【００１５】
請求項２においては、複数の試験体のうち使用済みの試験体だけを未使用の試験体に交換することができるので、コストの削減を図ることができる。
【００１６】
請求項３においては、複数の吹き付け位置が設けられるところ、どの吹き付け位置にバーナーが移動した場合であっても、試験体がバーナーから炎を吹き付けられる様子を窓部を介して視認することができる。
【００１７】
請求項４においては、第一の外壁材と第二の外壁材との間に第三の外壁材を介在させることで、第二の外壁材（ひいては、窓部）を所望する場所に設置し易くすることができる。
【図面の簡単な説明】
【００１８】
【図１】本発明の第一実施形態に係る試験体の防火性能展示装置の全体的な構成を示した斜視模式図。
【図２】同じく、平面模式図。
【図３】同じく、側面模式図。
【図４】同じく、試験体集合部の構成を示した正面模式図。
【図５】（ａ）同じく、バーナーの移動経路を示した平面模式図。（ｂ）同じく、バーナーが移動する様子を示した平面模式図。（ｃ）同じく、試験体がバーナーから炎を吹き付けられる様子を示した平面模式図。
【図６】（ａ）同じく、試験体の防火性能を展示する展示会の見学者が試験体の防火性能の展示を視認する様子を示した平面模式図。（ｂ）従来の試験室の構成を示した平面模式図。
【図７】（ａ）同じく、試験体集合部から使用済みの試験体を未使用の試験体に交換する様子を示した正面模式図。（ｂ）同じく、図７（ａ）の続きを示した図。（ｃ）同じく、図７（ｂ）の続きを示した図。
【図８】（ａ）本発明の第二実施形態に係る試験体の防火性能展示装置の全体的な構成を示した平面模式図。（ｂ）本発明の第三実施形態に係る試験体の防火性能展示装置の全体的な構成を示した平面模式図。
【図９】（ａ）本発明の第四実施形態に係る試験体の防火性能展示装置の全体的な構成を示した平面模式図。（ｂ）本発明の第五実施形態に係る試験体の防火性能展示装置の全体的な構成を示した平面模式図。
【発明を実施するための形態】
【００１９】
以下では、図１から図４を用いて、本発明に係る試験体の防火性能展示装置の第一実施形態である展示装置１００の構成について説明する。
なお、以下の説明では、図中に示した矢印に従って、上下方向、前後方向及び左右方向を定義する。
【００２０】
図１から図３に示す展示装置１００は、例えば試験体の防火性能を展示する展示会を開催し、当該展示会の見学者に試験体の防火性能を体感させるための（防火性能の展示を行うための）装置である。展示装置１００は、主として、試験室１０と、試験体集合部２０と、バーナー装置４０と、操作部６０と、により構成される。
【００２１】
図１から図３に示す試験室１０は、防火性能の展示を行うための空間を形成するものである。試験室１０は、主として、外壁部１１と、天井部１２と、により形成される。
【００２２】
図１から図３に示す外壁部１１は、試験室１０の四方（前後左右方向）の壁を形成するものである。外壁部１１は、耐火性を有する部材により形成される。外壁部１１は、複数枚の外壁材により形成される。より詳細には、外壁部１１は、前側外壁材１３と、後側外壁材１４と、左側外壁材１５と、第一右側外壁材１６と、第二右側外壁材１７との、５枚の外壁材により形成される。
【００２３】
前側外壁材１３は、試験室１０の前側の壁を形成するものである。前側外壁材１３は、略平板状に形成され、その板面を前後方向へ向けて配置される。前側外壁材１３には、後述する試験体集合部２０が取り付けられる。
【００２４】
後側外壁材１４は、試験室１０の後側の壁を形成するものである。後側外壁材１４は、略平板状に形成され、その板面を前後方向へ向けて配置される。また、後側外壁材１４の左右方向の長さは、前側外壁材１３の左右方向の長さよりも短くなるように形成される。
【００２５】
左側外壁材１５は、試験室１０の左側の壁を形成するものである。左側外壁材１５は、略平板状に形成され、その板面を左右方向へ向けて配置される。左側外壁材１５の前側端部は、前側外壁材１３の左側端部に略隙間無く連結される。また、左側外壁材１５の後側端部は、後側外壁材１４に左側端部に略隙間無く連結される。
【００２６】
第一右側外壁材１６及び第二右側外壁材１７は、試験室１０の右側の壁を形成するものである。
【００２７】
第一右側外壁材１６は、略平板状に形成され、その板面を左後方及び右前方へ向けて配置される。第一右側外壁材１６の前側端部は、前側外壁材１３の右側端部に略隙間無く連結される。こうして、第一右側外壁材１６は、前側外壁材１３の右側端部から平面視で右後方へ向けて延出される。第一右側外壁材１６は、第二右側外壁材１７よりも前方に配置される。
【００２８】
第二右側外壁材１７は、略平板状に形成され、その板面を左前方及び右後方へ向けて配置される。第二右側外壁材１７には、透過性を有する部材により形成された窓部７０が設けられる。なお、本実施形態において窓部７０は、第二右側外壁材１７の略全体に亘って設けられる。換言すれば、窓部７０は第二右側外壁材１７として形成される。以下では、説明の便宜上、第二右側外壁材１７を、「窓部７０」と称して説明を行うものとする。
【００２９】
窓部７０の前側端部は、第一右側外壁材１６の後側端部に略隙間無く連結される。また、窓部７０の後側端部は、後側外壁材１４の右側端部に略隙間無く連結される。このように、窓部７０と前側外壁材１３との間には、当該窓部７０及び前側外壁材１３とは異なる外壁材である第一右側外壁材１６が介在される。窓部７０は、第一右側外壁材１６の後側端部から平面視で左後方へ向けて（前後方向に対して斜め方向に）延出される。
【００３０】
図１及び図３に示す天井部１２は、試験室１０の天井を形成するものである。天井部１２は、耐火性を有する部材により形成される。天井部１２は、略平板状に形成され、試験室１０の四方の壁を形成する外壁部１１（前側外壁材１３、後側外壁材１４、左側外壁材１５、第一右側外壁材１６及び窓部７０）の上側端部に略隙間無く連結される。
【００３１】
このように、試験室１０は、外壁部１１（前側外壁材１３、後側外壁材１４、左側外壁材１５、第一右側外壁材１６及び窓部７０）及び天井部１２により、略密閉された空間として形成される。また、試験室１０は、平面視で略五角形状に形成される。そして、展示会の見学者は、窓部７０を介して試験室１０の外部から内部の様子（防火性能の展示が行われる様子）を視認することができる。なお、試験室１０には、後述する試験体３０に炎が吹き付けられることにより発生する臭いや煙を排出するための、図示せぬ換気装置が設けられる。
【００３２】
なお、試験室１０は、本発明に係る「試験室」の一実施形態である。また、外壁部１１は、本発明に係る「外壁部」の一実施形態である。また、前側外壁材１３、後側外壁材１４、左側外壁材１５、第一右側外壁材１６及び第二右側外壁材１７（窓部７０）は、本発明に係る「複数の外壁材」の一実施形態である。また、第二右側外壁材１７は、本発明に係る「第二の外壁材」の一実施形態である。また、前側外壁材１３は、本発明に係る「第一の外壁材」の一実施形態である。また、第一右側外壁材１６は、本発明に係る「第三の外壁材」の一実施形態である。また、窓部７０は、本発明に係る「窓部」の一実施形態である。なお、窓部７０は、第二右側外壁材１７の略全体に亘って設けられる構成でなく、一部に設けられる構成であってもよい。また、窓部７０は、一箇所だけでなく、複数個所に設けられる構成であってもよい。
【００３３】
図１から図４に示す試験体集合部２０は、防火性能の展示の対象となる試験体３０が複数個（本実施形態においては、４個）集合して配置されたものである。試験体集合部２０は、２個設けられ、左右に並んだ状態で前側外壁材１３に取り付けられる。
【００３４】
なお、左右に並んだ２個の試験体集合部２０は同一の構成であるため、以下において特に断りが無ければ、当該２個の試験体集合部２０のうち右側の試験体集合部２０について説明するものとする。
【００３５】
図４に示すように、試験体集合部２０は、主として、フレーム２１と、試験体３０と、により構成される。
【００３６】
図４に示すフレーム２１は、試験体３０を複数個集合させた状態で前側外壁材１３に取り付けるためのものである。フレーム２１は、金属等の耐火性を有する部材により形成される。フレーム２１には、前後方向に貫通した正面視で略矩形状の試験体取り付け部２２が４個設けられる。４個の試験体取り付け部２２は、上段及び下段にそれぞれ左右方向に２個並設される。フレーム２１は、前側外壁材１３に前後方向に貫通して形成されたフレーム取り付け部１８（図２及び図３参照）に固定される。
【００３７】
図４に示す試験体３０は、防火性能の展示の対象となるものである。試験体３０は、例えば住宅に用いられる外壁材（より詳細には、例えば３ｍ角からなる外壁材の一部分）からなる部材である。試験体３０は、略平板状に形成され、その板面を前後方向へ向けて配置される。試験体３０は、フレーム２１の試験体取り付け部２２よりも若干小さく形成される。試験体３０は、当該試験体３０を交換する担当者により、フレーム２１に着脱可能に取り付けられる。
【００３８】
また、フレーム２１に取り付けられた試験体３０は、当該試験体３０の前側面が前方に露出した状態、且つ当該試験体３０の後側面が後方に露出した状態となる。すなわち、試験体集合部２０は、試験体３０が試験室１０の内部及び外部の両方に露出した状態で、前側外壁材１３に取り付けられる。これにより、展示会の見学者は、試験室１０の内部でバーナー５０から炎が吹き付けられている試験体３０に、試験室１０の外部から直接手で触れることができる。
【００３９】
なお、試験体３０は、本発明に係る「試験体」の一実施形態である。本実施形態においては、１個のフレーム２１に４個の試験体３０が取り付けられ、合計８個の試験体３０が設けられる構成であるが、これに限定するものではない。
【００４０】
図１から図３に示すバーナー装置４０は、複数の試験体３０のうち所定の試験体３０に炎を吹き付けるための装置である。バーナー装置４０は、試験室１０の内部に配置される。バーナー装置４０は、主として、本体部４１と、駆動モータ４２と、支持部４３と、バーナー５０と、により構成される。
【００４１】
図１から図３に示す本体部４１は、バーナー装置４０の主たる構造体を成す部材である。本体部４１は、中空の略箱状に形成され、試験室１０の内部の床面に配置される。本体部４１の内部には、後述する駆動モータ４２や図示せぬ駆動機構等を含む、バーナー装置４０を構成する各種の部材が収納される。本体部４１の上側面には、当該本体部４１の外部と内部とを連通する溝部４４が形成される。
なお、溝部４４の構成についての詳細な説明は後述する。
【００４２】
図１に示す駆動モータ４２は、バーナー装置４０の駆動源となる部材である。駆動モータ４２は、その作動により駆動力を発生させることができる。
【００４３】
図１及び図３に示す支持部４３は、長手方向を上下方向として延出された略棒状の部材である。支持部４３の下方端部は、溝部４４を介して本体部４１の内部に挿入され、前記駆動機構を介して駆動モータ４２と連動連結される。支持部４３は、前記駆動機構を介して伝達された駆動モータ４２からの駆動力により、溝部４４に沿って前後方向、左右方向及び上下方向に往復移動可能に構成される。
【００４４】
図１から図３に示すバーナー５０は、炎を吹き出すための部材である。バーナー５０は、図示せぬガスボンベに貯溜されたガスを燃料とし、前方へ向けて炎を吹き出すことができる。バーナー５０は、支持部４３により下方から支持され、当該支持部４３の上側端部に固定される。これにより、バーナー５０は、支持部４３を介して伝達された駆動モータ４２からの駆動力により、前後方向、左右方向及び上下方向に往復移動可能に構成される。
【００４５】
こうして、バーナー装置４０は、駆動モータ４２から伝達された駆動力により、バーナー５０を溝部４４に沿って前後方向、左右方向及び上下方向に往復移動させ、複数の試験体３０のうち所定の試験体３０に対向する位置まで移動した後に当該試験体３０に炎を吹き付けることができる。
【００４６】
なお、バーナー５０は、本発明に係る「バーナー」の一実施形態である。また、バーナー装置４０は、本発明に係る「移動手段」の一実施形態である。
【００４７】
図１に示す操作部６０は、展示装置１００の操作を行うためのものである。より詳細には、操作部６０の操作を行うことにより、複数の試験体３０のうち（未使用である）所定の試験体３０が自動的に選択され、当該選択した所定の試験体３０の防火性能の展示が行われる。本実施形態においては、図１に示すように、操作部６０としてパソコンが使用される。操作部６０（パソコン）は、ＲＡＭやＲＯＭ等の記憶部、ＣＰＵ等の演算処理部等により構成され、種々の情報に基づいて所定の演算処理や記憶等を行うことができる。操作部６０を操作する者は、操作部６０のディスプレイに表示される種々の情報に基づいて展示装置１００の操作を行うことができる。
【００４８】
なお、操作部６０は、各種の信号の発信部として、バーナー装置４０（より詳細には、駆動モータ４２）と電気的に接続される。操作部６０は、駆動モータ４２を制御し、バーナー５０を適宜に移動させることができる。
【００４９】
なお、操作部６０は、展示会の担当者だけでなく、見学者により操作可能となっている。これにより、展示会の担当者が不在の場合であっても、試験体３０の防火性能の展示を行うことができる。
【００５０】
なお、操作部６０は、本発明に係る「操作手段」の一実施形態である。
【００５１】
以上のように、展示装置１００は、操作部６０の操作により、複数の試験体（試験体集合部２０）のうち（未使用である）所定の試験体３０を自動的に選択し、試験室１０の内部でバーナー装置４０のバーナー５０から炎を吹き付ける、試験体３０の防火性能の展示を行うことができる。そして、展示会の見学者は、試験体３０にバーナー５０から炎を吹き付ける様子を窓部７０を介して視認することができると共に、試験室１０の内部でバーナー５０から炎が吹き付けられている試験体３０に当該試験室１０の外部（前側外壁材１３の前方）から直接手で触れることができる。これにより、展示会の見学者は、試験体３０の防火性能を体感することができる。
【００５２】
以下では、展示装置１００による試験体３０の防火性能の展示の態様について、図５及び図６を用いて詳細に説明する。
【００５３】
まず、図５（ａ）を用いて、バーナー装置４０の本体部４１に形成された溝部４４の構成について詳細に説明する。
【００５４】
溝部４４は、支持部４３を介して、バーナー５０を前後方向、左右方向及び上下方向へ向けて案内するものである。すなわち、溝部４４は、バーナー５０の移動経路として形成される。溝部４４は、前後方向に延出される４本の溝部４４（以下では、右側から順番に「第一溝部８１」と、「第二溝部８２」と、「第三溝部８３」と、「第四溝部８４」と、それぞれ称する。）と、左右方向に延出されて、第一溝部８１から第四溝部８４までの前側端部を連結する溝部４４（以下では「第五溝部８５」と称する。）と、により構成される。
【００５５】
第一溝部８１は、右側の試験体集合部２０における右側の試験体３０の前方に形成される。第一溝部８１の後側端部は、右側の試験体集合部２０における右側の試験体３０に炎を吹き付ける際のバーナー５０の準備位置となる。また、第一溝部８１の前側端部は、右側の試験体集合部２０における右側の試験体３０に炎を吹き付ける際のバーナー５０の吹き付け位置となる。
【００５６】
また、第二溝部８２は、右側の試験体集合部２０における左側の試験体３０の前方に形成される。第二溝部８２の後側端部は、右側の試験体集合部２０における左側の試験体３０に炎を吹き付ける際のバーナー５０の準備位置となる。また、第二溝部８２の前側端部は、右側の試験体集合部２０における左側の試験体３０に炎を吹き付ける際のバーナー５０の吹き付け位置となる。
【００５７】
また、第三溝部８３は、左側の試験体集合部２０における右側の試験体３０の前方に形成される。第三溝部８３の後側端部は、左側の試験体集合部２０における右側の試験体３０に炎を吹き付ける際のバーナー５０の準備位置となる。また、第三溝部８３の前側端部は、左側の試験体集合部２０における右側の試験体３０に炎を吹き付ける際のバーナー５０の吹き付け位置となる。
【００５８】
また、第四溝部８４は、左側の試験体集合部２０における左側の試験体３０の前方に形成される。第三溝部８３の後側端部は、左側の試験体集合部２０における左側の試験体３０に炎を吹き付ける際のバーナー５０の準備位置となる。また、第三溝部８３の前側端部は、左側の試験体集合部２０における左側の試験体３０に炎を吹き付ける際のバーナー５０の吹き付け位置となる。
【００５９】
次に、図５及び図６を用いて、試験体３０にバーナー５０から炎を吹き付ける態様について説明する。
【００６０】
なお、以下では、操作部６０の操作によ、バーナー５０から炎を吹き付ける（未使用である）所定の試験体３０として、右側の試験体集合部２０における左上段の試験体３０（以下では、「左上試験体３１」と称する）が選択されたものとする。また、現段階においては、バーナー５０は、第一溝部８１の準備位置（後側端部）に配置されているものとする。
【００６１】
まず、図５（ｂ）に示すように、バーナー５０は、第一溝部８１の準備位置から第二溝部８２の準備位置に移動する。より詳細には、バーナー５０は、第一溝部８１を後側端部（準備位置）から前側端部に移動する。そして、バーナー５０は、第一溝部８１の前側端部から第五溝部８５を介して第二溝部８２の前側端部に移動する。そして、バーナー５０は、第二溝部８２を前側端部から後側端部、すなわち第二溝部８２の準備位置に移動する。こうして、バーナー５０は、平面視で左上試験体３１に対向する準備位置に移動する。
【００６２】
そして、バーナー５０は、上下方向に移動することにより、側面視で左上試験体３１に対向する位置に移動する（図３参照）。
【００６３】
このように、バーナー５０は、第一溝部８１、第五溝部８５及び第二溝部８２に沿って前後方向、左右方向及び上下方向に移動することにより、左上試験体３１に対向する位置に到達する。
【００６４】
そして、図５（ｃ）に示すように、第二溝部８２の準備位置において、バーナー５０は前方へ向けて炎を吹き出す。なお、第二溝部８２の準備位置においてバーナー５０から吹き出された炎は、左上試験体３１に到達しない。すなわち、これによりバーナー５０から吹き出される炎の全体像を見学者に視認させ、炎の勢い（迫力）を当該見学者に感じさせることができる。
【００６５】
そして、図５（ｃ）に示すように、バーナー５０は、炎を吹き出した状態で、第二溝部８２の後側端部から前側端部、すなわち準備位置から吹き付け位置に移動する。なお、バーナー５０が吹き付け位置に到達すると、バーナー５０から吹き出した炎は左上試験体３１に到達し、当該左上試験体３１にバーナー５０からの炎が吹き付けられる。
【００６６】
なお、左上試験体３１にバーナー５０から炎が吹き付けられている状態においては、展示会の見学者は試験室１０の外部（前側外壁材１３の前方）から当該左上試験体３１を直接手で触れることができる。これにより、展示会の見学者は、試験体３０の防火性能を体感することができる。
【００６７】
こうして、所定の時間だけ左上試験体３１にバーナー５０から炎が吹き付けられると、当該バーナー５０からの炎の吹き付けは停止する。これにより、展示装置１００による試験体３０の防火性能の展示が終了する。
【００６８】
なお、本実施形態においては、窓部７０と前側外壁材１３との間に、当該窓部７０及び前側外壁材１３とは異なる外壁材である第一右側外壁材１６が介在される。
これによって、以下に示すような効果が生ずる。
【００６９】
まず、図６（ｂ）に示すように、例えば窓部７０と前側外壁材１３との間に、当該窓部７０及び前側外壁材１３とは異なる外壁材である第一右側外壁材１６が介在されない場合について説明する。
【００７０】
図６（ｂ）に示す構成において、窓部７０における範囲Ｌ１内には、試験体３０に炎が吹き付けられることにより煙が発生するため、当該窓部７０を介して防火性能の展示の様子を視認することは困難となる。したがって、展示会の見学者は、窓部７０における範囲Ｌ３内から防火性能の展示の様子を視認することとなる。すなわち、図６（ｂ）に示す構成においては、窓部７０における長手方向の一部の範囲（範囲Ｌ３）内でしか、当該窓部７０を介して防火性能の展示の様子を視認することができない。
【００７１】
これに対して、図６（ａ）に示すように、本実施形態においては、窓部７０と前側外壁材１３との間に、当該窓部７０及び前側外壁材１３とは異なる外壁材である第一右側外壁材１６が介在されるため、窓部７０を所望する場所に設置することができる。すなわち、本実施形態においては、窓部７０の長手方向の前側端部の位置が、前後方向位置においてバーナー５０と略同一か、又は若干後方となるように設置される。
【００７２】
このような構成により、窓部７０の長手方向の前側端部の位置において、試験体３０に炎が吹き付けられることにより発生した煙に邪魔されず、当該窓部７０を介して防火性能の展示の様子を視認することができる。したがって、展示会の見学者は、窓部７０における範囲Ｌ２内から防火性能の展示の様子を視認することとなる。すなわち、本実施形態に係る構成においては、窓部７０における長手方向の全部の範囲（範囲Ｌ２）内で、当該窓部７０を介して防火性能の展示の様子を視認することができる。
【００７３】
また、窓部７０は、前述したように、その板面を左前方及び右後方へ向けて配置され、バーナー５０からの炎の吹き出し方向（前後方向）に対して平面視で斜め方向に配置されている。このように、窓部７０をバーナー５０からの炎の吹き出し方向（前後方向）に対して平面視で斜め方向に配置することにより、窓部７０の長手方向の長さ（範囲Ｌ２の長さ）を、図６（ｂ）における範囲Ｌ３の長さよりも長くなるように形成される。すなわち、本実施形態に係る構成においては、例えば図６（ｂ）に示す構成よりも、一度に多くの見学者に窓部７０を介して防火性能の展示の様子を視認させることができる。
【００７４】
なお、本実施形態に係る構成において、窓部７０は、図６（ａ）に示すように、当該窓部７０の長手方向のどの位置（例えば後側端部や前側端部）から試験室１０の内部を見た場合であっても、第一溝部８１から第四溝部８４における準備位置及び吹き付け位置（すなわち、複数の準備位置及び吹き付け位置）、及びバーナー５０から炎が吹き付けられる試験体３０（ずなわち、左側及び右側の両方の試験体集合部２０）を視認できるように形成される。
【００７５】
以下では、図７を用いて、試験体３０の交換の態様について説明する。
【００７６】
なお、以下では、前述した防火性能の展示により使用した左上試験体３１を未使用の試験体３０に交換するものとする。
【００７７】
図７（ａ）に示すように、試験体集合部２０において、左上試験体３１はバーナー５０から炎が吹き付けられたことにより、表面が黒く変色した状態となっている。そして、図７（ｂ）に示すように、試験体集合部２０におけるフレーム２１の試験体取り付け部２２から左上試験体３１を取り外す。なお、試験体取り付け部２２から左上試験体３１を取り外した場合であっても、その他の試験体３０は取り付けられたままである。そして、図７（ｃ）に示すように、予め準備していた未使用の試験体３０を、左上試験体３１が取り外されて空洞となったフレーム２１の試験体取り付け部２２に取り付ける。
【００７８】
このように、試験体集合部２０における４個の試験体３０は、それぞれの試験体３０ごとに交換することができる。このような構成により、未使用の試験体３０はそのまま残るため、コストの削減を図ることができる。
【００７９】
なお、前述したように、一度の防火性能の展示においては、複数の試験体３０のうち選択された１個の試験体３０だけが使用される。すなわち、本実施形態においては、合計８個の試験体３０が設けられていることから、展示ごとに使用済みの試験体３０を未使用の試験体３０に交換しなくてもよく、具体的には８回連続して展示を行うことができる。また、本実施形態に係る構成によれば、一度の交換にて複数個の使用済みの試験体３０を未使用の試験体３０に交換することができるので、試験体３０を交換する作業回数を削減することができる。
【００８０】
以上のように、
本発明の第一実施形態に係る試験体３０の展示装置１００は、
耐火性を有する外壁部１１により形成される試験室１０と、
前記試験室１０の内部及び外部に露出した状態で前記外壁部１１に取り付けられる複数の試験体３０と、
前記試験室１０の内部に設けられて炎を吹き出すことができるバーナー５０と、
前記複数の試験体３０のうち前記バーナー５０から炎が吹き付けられる所定の試験体３０を選択する選択手段（操作部６０）と、
前記所定の試験体３０に対して予め設定された炎を吹き付け可能な吹き付け位置に前記バーナー５０を移動させる移動手段（バーナー装置４０）と、
前記外壁部１１に設けられて前記試験室１０の外部から内部の様子を視認可能な窓部７０と、
を具備するものである。
【００８１】
このような構成により、試験体３０の交換が困難となり展示会を開催することができなくなることを防止することができる。
【００８２】
また、展示装置１００においては、
前記複数の試験体３０は、試験体３０ごとに交換可能であるものである。
【００８３】
このような構成により、複数の試験体３０のうち使用済みの試験体３０だけを未使用の試験体３０に交換することができるので、コストの削減を図ることができる。
【００８４】
また、展示装置１００においては、
前記窓部７０は、前記所定の試験体３０として前記複数の試験体３０のうち何れの試験体３０が選択された場合であっても、当該所定の試験体３０に前記バーナー５０から炎が吹き付けられる様子が外部から視認可能となるように構成されるものである。
【００８５】
このような構成により、複数の吹き付け位置が設けられるところ、どの吹き付け位置にバーナーが移動した場合であっても、試験体３０がバーナー５０から炎を吹き付けられる様子を窓部７０を介して視認することができる。
【００８６】
また、展示装置１００においては、
前記外壁部１１は、複数の外壁材から構成され、
前記複数の試験体３０が取り付けられる外壁部としての第一の外壁材（前側外壁材１３）と前記窓部７０が設けられる外壁部としての第二の外壁材（第二右側外壁材１７）との間には、当該第一及び第二の外壁材とは異なる第三の外壁材（第一右側外壁材１６）が介在されるものである。
【００８７】
第一の外壁材（前側外壁材１３）と第二の外壁材（第二右側外壁材１７）との間に第三の外壁材（第一右側外壁材１６）を介在させることで、第二の外壁材（ひいては、窓部７０）を所望する場所に設置し易くすることができる。
【００８８】
次に、図８（ａ）を用いて、本発明に係る第二実施形態である展示装置２００の構成について説明する。
【００８９】
なお、以下では、展示装置２００の構成において、展示装置１００の構成と異なる点を中心に説明を行い、展示装置１００の構成と略同一の点についてはその説明を適宜省略するものとする。
【００９０】
展示装置２００においては、外壁部２１１により、試験室２１０が平面視で略コの字状に形成される。そして、試験室２１０における左前側端部及び右前側端部のスペース２９０は、バーナー５０の収納部とすることができる。また、窓部２７０は、外壁部２１１における左後側端部及び右後側端部の２箇所に設けられる。このように、複数の窓部２７０を設けることにより、一度により多くの見学者が試験体３０の防火性能の展示を見ることができる。
【００９１】
次に、図８（ｂ）を用いて、本発明に係る第三実施形態である展示装置３００の構成について説明する。
【００９２】
なお、以下では、展示装置３００の構成において、展示装置１００の構成と異なる点を中心に説明を行い、展示装置１００の構成と略同一の点についてはその説明を適宜省略するものとする。
【００９３】
展示装置３００においては、外壁部３１１により、試験室３１０が平面視で略矩形状に形成される。そして、試験室３１０における前側の外壁部３１１に、２箇所の窓部３７０が中央に試験体３０を挟むように配置される。こうして、試験体３０と窓部３７０とは、同一の外壁材に形成される。また、試験室３１０の内部おいて、２箇所の窓部３７０と対向する位置に鏡３９０がそれぞれは配置される。そして、窓部３７０を介して試験室３１０の内部を見ると、鏡３９０に反射してバーナー５０が見えることとなる。これにより、試験体３０と窓部３７０とを近接した位置に配置することができるため、展示会の見学者は、窓部３７０を介して試験室３１０の内部を見ながら、試験体３０に直接手を触れることができる。
【００９４】
次に、図９（ａ）を用いて、本発明に係る第四実施形態である展示装置４００の構成について説明する。
【００９５】
なお、以下では、展示装置４００の構成において、展示装置１００の構成と異なる点を中心に説明を行い、展示装置１００の構成と略同一の点についてはその説明を適宜省略するものとする。
【００９６】
展示装置４００においては、外壁部４１１により、試験室４１０が平面視で略真円形状に形成される。そして、試験室４１０における後側半分の外壁部４１１に、窓部４７０が半円弧状に形成される。こうして、試験体３０と窓部４７０とは、同一の外壁材に形成される。また、窓部４７０を可及的に大きくすることができるため、一度により多くの見学者が試験体３０の防火性能の展示を見ることができる。
【００９７】
次に、図９（ｂ）を用いて、本発明に係る第五実施形態である展示装置５００の構成について説明する。
【００９８】
なお、以下では、展示装置５００の構成において、展示装置１００の構成と異なる点を中心に説明を行い、展示装置１００の構成と略同一の点についてはその説明を適宜省略するものとする。
【００９９】
展示装置５００においては、外壁部５１１により、試験室５１０が平面視で略半円形状に形成される。そして、試験室５１０における外壁部５１１の左側後端部及び右側後端部の２箇所に、窓部５７０が形成される。こうして、試験体３０と窓部５７０とは、同一の外壁材に形成される。また、試験室５１０を比較的小さく形成することができる。
【符号の説明】
【０１００】
１０      試験室
１１      外壁部
３０      試験体
４０      バーナー装置
５０      バーナー
６０      操作部
１００    展示装置
【図１】
2015022191.tif 000003
【図２】
2015022191.tif 000004
【図３】
2015022191.tif 000005
【図４】
2015022191.tif 000006
【図５】
2015022191.tif 000007
【図６】
2015022191.tif 000008
【図７】
2015022191.tif 000009
【図８】
2015022191.tif 000010
【図９】
2015022191.tif 000011